(57)【要約】【課題】印字する情報の情報量に応じて最適なサイズの記録紙を自動的に選択することができる。【解決手段】複数のサイズの記録紙の中から所定のサイズの記録紙Ｐを選択して所定の情報を印字する通信端末装置１０であって、印字する所定の情報の情報量に基づいて最適なサイズの記録紙Ｐを選択する制御手段１２を有する構成とした。【選択図】    図１
2005079829.tif 000002
【特許請求の範囲】
【請求項１】
複数のサイズの記録紙の中から所定のサイズの記録紙を選択して所定の情報を印字する通信端末装置であって、
印字する所定の情報の情報量に基づいて最適なサイズの前記記録紙を選択する制御手段を有することを特徴とする通信端末装置。
【請求項２】
前記情報の情報量と前記記録紙のサイズとを対応付けて記憶する記憶手段を有し、
前記制御手段は、前記記憶手段の記憶内容に基づいて前記記録紙を選択することを特徴とする請求項１に記載の通信端末装置。
【請求項３】
前記記録紙は異なるカセット番号が付与されたカセットにサイズ毎に別けて収容され、前記情報の情報量と前記カセット番号とを対応付けて記憶する記憶手段を有し、
前記制御手段は、前記記憶手段の記憶内容に基づいて前記記録紙を選択することを特徴とする請求項１に記載の通信端末装置。
【請求項４】
前記記録紙には複数の種類の情報が印字され、前記情報の種類と前記記録紙のサイズとを対応付けて記憶する記憶手段を有し、
前記制御手段は、前記記憶手段の記憶内容に基づいて前記記録紙を選択することを特徴とする請求項１に記載の通信端末装置。
【請求項５】
前記記録紙には複数の種類の情報が印字され、前記記録紙は異なるカセット番号が付与されたカセットにサイズ毎に別けて収容され、前記情報の種類と前記カセット番号とを対応付けて記憶する記憶手段を有し、
前記制御手段は、前記記憶手段の記憶内容に基づいて前記記録紙を選択することを特徴とする請求項１に記載の通信端末装置。
【発明の詳細な説明】
【技術分野】
【０００１】
本発明は、送信履歴リスト、受信履歴リスト及び登録宛先リスト等の情報を記録紙に印字できる通信端末装置に関する。
【背景技術】
【０００２】
従来のファクシミリ等の通信端末装置は、送信履歴リストや登録宛先リストなどの情報を記録紙に印字する際に、それらのリスト件数などの情報量に関わらず、予め設定したサイズ（例えば、Ａ４サイズ）の記録紙に印字していたため、リスト件数（情報量）が比較的少ない場合には、図４に示すように、記録紙１００の余白が多くなり、無駄が生じていた。
ここで、下記特許文献１では、送信履歴リストや登録宛先リストなどの情報を記録紙に印字する際に、記録紙のサイズ又は記録紙が収容されているカセットのカセット番号が登録されていればその登録されているサイズ又はカセット番号の記録紙に前記情報を印字し、記録紙のサイズ又はカセット番号が登録されていない場合には予め設定された特定サイズの記録紙に印字する装置について開示されているが、印字するリスト件数に応じて最適なサイズの記録紙を自動的に選択するという技術的思想は開示されていない（下記特許文献１参照）。
【０００３】
【特許文献１】特開平５−２１９２９６号公報
【発明の開示】
【発明が解決しようとする課題】
【０００４】
そこで、本発明は、上記事情を考慮し、印字する情報の情報量に応じて最適なサイズの記録紙を自動的に選択することができる通信端末装置を提供することを目的とする。
【課題を解決するための手段】
【０００５】
請求項１に記載の発明は、複数のサイズの記録紙の中から所定のサイズの記録紙を選択して所定の情報を印字する通信端末装置であって、印字する所定の情報の情報量に基づいて最適なサイズの前記記録紙を選択する制御手段を有することを特徴とする。
【０００６】
請求項１に記載の発明によれば、制御手段により印字する所定の情報の情報量に基づいて最適なサイズの記録紙が選択され、この選択された記録紙に所定の情報が印字される。このため、情報量が比較的少ない情報を印字する場合において、情報が印字された記録紙の余白の部分を少なくすることができ、記録紙を効率良く使用することができる。この結果、記録紙の無駄を抑制することができる。
【０００７】
請求項２に記載の発明は、請求項１に記載の通信端末装置において、前記情報の情報量と前記記録紙のサイズとを対応付けて記憶する記憶手段を有し、前記制御手段は、前記記憶手段の記憶内容に基づいて前記記録紙を選択することを特徴とする。
【０００８】
請求項２に記載の発明によれば、記憶手段には情報の情報量と記録紙のサイズとが対応付けられて記憶されており、制御手段は記憶手段の記憶内容に基づいて記録紙を選択することにより、容易に最適なサイズの記録紙を選択することができ、所定の情報を印字する印字作業を比較的短時間で行うことができる。
【０００９】
請求項３に記載の発明は、請求項１に記載の通信端末装置において、前記記録紙は異なるカセット番号が付与されたカセットにサイズ毎に別けて収容され、前記情報の情報量と前記カセット番号とを対応付けて記憶する記憶手段を有し、前記制御手段は、前記記憶手段の記憶内容に基づいて前記記録紙を選択することを特徴とする。
【００１０】
請求項３に記載の発明によれば、記録紙は異なるカセット番号が付与されたカセットにサイズ毎に別けて収容されており、記憶手段には情報の情報量とカセット番号とが対応付けられて記憶されており、制御手段は記憶手段の記憶内容に基づいて記録紙を選択することにより、容易に最適なサイズの記録紙を選択することができ、所定の情報を印字する印字作業を比較的短時間で行うことができる。
【００１１】
請求項４に記載の発明は、請求項１に記載の通信端末装置において、前記記録紙には複数の種類の情報が印字され、前記情報の種類と前記記録紙のサイズとを対応付けて記憶する記憶手段を有し、前記制御手段は、前記記憶手段の記憶内容に基づいて前記記録紙を選択することを特徴とする。
【００１２】
請求項４に記載の発明によれば、記録紙には複数の種類の情報が印字されており、記憶手段には情報の種類と記録紙のサイズとが対応付けられて記憶されており、制御手段は、記憶手段の記憶内容に基づいて記録紙を選択することにより、情報の種類によって情報量が異なる場合でも、最適なサイズの記録紙を容易に選択することができる。
【００１３】
請求項５に記載の発明は、請求項１に記載の通信端末装置において、前記記録紙には複数の種類の情報が印字され、前記記録紙は異なるカセット番号が付与されたカセットにサイズ毎に別けて収容され、前記情報の種類と前記カセット番号とを対応付けて記憶する記憶手段を有し、前記制御手段は、前記記憶手段の記憶内容に基づいて前記記録紙を選択することを特徴とする。
【００１４】
請求項５に記載の発明によれば、記録紙には複数の種類の情報が印字され、記録紙は異なるカセット番号が付与されたカセットにサイズ毎に別けて収容されており、記憶手段には情報の種類とカセット番号とが対応付けられて記憶されており、制御手段は、記憶手段の記憶内容に基づいて記録紙を選択することにより、情報の種類によって情報量が異なる場合でも、最適なサイズの記録紙を容易に選択することができる。
【００１５】
また、請求項１乃至５のいずれか１項に記載の通信端末装置において、前記情報は、通信の実行に伴って件数が増加する通信履歴リスト及び／又はユーザによる宛先登録又は解除操作に伴って件数が増減する宛先登録リストであることを特徴とする。
【００１６】
本発明によれば、情報は、通信の実行に伴って件数が増加する通信履歴リスト及び／又はユーザによる宛先登録又は解除操作に伴って件数が増減する宛先登録リストとすることにより、各リストの件数に応じて最適サイズの記録紙あるいは最適サイズの記録紙が収容されたカセットを選択することができる。
【発明の効果】
【００１７】
請求項１に記載の発明によれば、情報量が比較的少ない情報を印字する場合において、情報が印字された記録紙の余白の部分を少なくすることができ、記録紙を効率良く使用することができる。この結果、記録紙の無駄を抑制することができる。
【００１８】
請求項２に記載の発明によれば、制御手段は記憶手段の記憶内容に基づいて記録紙を選択することにより、容易に最適なサイズの記録紙を選択することができ、所定の情報を印字する印字作業を比較的短時間で行うことができる。
【００１９】
請求項３に記載の発明によれば、制御手段は記憶手段の記憶内容に基づいて記録紙を選択することにより、容易に最適なサイズの記録紙を選択することができ、所定の情報を印字する印字作業を比較的短時間で行うことができる。
【００２０】
請求項４に記載の発明によれば、制御手段は、記憶手段の記憶内容に基づいて記録紙を選択することにより、情報の種類によって情報量が異なる場合でも、最適なサイズの記録紙を容易に選択することができる。
【００２１】
請求項５に記載の発明によれば、制御手段は、記憶手段の記憶内容に基づいて記録紙を選択することにより、情報の種類によって情報量が異なる場合でも、最適なサイズの記録紙を容易に選択することができる。
【発明を実施するための最良の形態】
【００２２】
次に、本発明の実施形態の通信端末装置について、図面を参照して説明する。
図１は、本発明の一実施形態に係る通信端末装置１０の構成を示すブロック図であり、通信端末装置１０は、主制御部（ＣＰＵ、制御手段）１２を制御中枢としてバス１４を介して以下に示すような各構成部の動作を制御する。
【００２３】
バス１４には、主制御部（制御手段）１２の制御手順（コンピュータープログラム）等を記録したＲＯＭ（記憶手段）１６と、主制御部１２による制御動作中に種々のデータを一時的に記憶するＲＡＭ（ＳＲＡＭ等）１８と、画像データを一時的に記憶する画像メモリ（ＤＲＡＭ等）２０と、画像メモリ２０に記憶された画像データの符号化／複合化処理を行うコーデック２２と、が接続されている。
【００２４】
また、バス１４には、一般アナログ回線等の外部（公衆）通信網にデータを送受信するための変復調機能を備えたモデム２４と、このモデム２４と外部（公衆）通信網とを接続する場合に通信相手を呼び出すためにダイヤル信号を送出する機能を備えたＮＣＵ（網制御部）２６と、コピーすべき原稿またはファクシミリ送信すべき原稿をデジタルデータの画像データとして読み取る画像読取部２８と、コピーすべき原稿を読み取った場合にその画像データを、またはファクシミリ通信により受信した画像データを用紙Ｐ（記録紙）に記録出力するプリンタ（画像記録部）３０と、Ｂ５サイズ、Ｂ４サイズ、Ａ３サイズ、Ａ４サイズ、Ａ５サイズ……等の異なるサイズの用紙Ｐ（記録紙）を別けて収容し、収容する用紙Ｐのサイズを示すカセット番号が付与された複数のカセットからなるカセット群３８と、テンキー及びボタン等を備えこれらの操作が行われた場合に対応する信号を入力する操作部３２と、使用方法の案内、処理状態の途中経過等の状況表示又は操作確認を表示するための表示部（例えばＬＣＤ）３４と、ＬＡＮ等の通信網に接続するためのＬＡＮＩ／Ｆ３６等が接続されている。
【００２５】
なお、画像メモリ２０は一般的なＤＲＡＭを使用しているが、高速処理が可能なＳＤＲＡＭ又はＤＤＲ−ＳＤＲＡＭ等である方が通信端末装置１０のスループット向上のために好ましい。
また、操作部３２には、コピー部数を入力するため、またはファクシミリ送信の際に宛先の電話番号（ファクシミリ番号）を入力するためのテンキー、送信履歴リストなどを印字する際に押すプリント指示キー４０等が備えられている。
【００２６】
ＲＡＭ１８には、送信履歴リスト（送信管理レポート、通信履歴リスト）、受信履歴リスト（受信管理レポート、通信履歴リスト）、ワンタッチ登録リスト（宛先登録リスト）及び短縮登録リスト（宛先登録リスト）の各リスト件数と、前記各リストを印字したときに余白部分が少なくなるような最適サイズの用紙Ｐがそれぞれ収容された各カセットの各カセット番号と、の対応関係を示すテーブルが記憶されている。
このテーブルは、最も少ないリスト件数であればＢ５サイズの用紙Ｐが収容されたカセットのカセット番号が対応し、比較的少ないリスト件数であればＡ５サイズの用紙Ｐが収容されたカセットのカセット番号が対応し、最も多いリスト件数であればＡ３サイズの用紙Ｐが収容されたカセットのカセット番号が対応し、比較的多いリスト件数であればＢ４サイズの用紙Ｐが収容されたカセットのカセット番号が対応し、通常のリスト件数であればＡ４サイズの用紙Ｐが収容されたカセットのカセット番号が対応している。
例えば、送信履歴リスト及び受信履歴リストについては、リスト件数が３０件以下である場合にはＡ５サイズの用紙Ｐが収容されたカセットのカセット番号が対応しており、リスト件数が３１件以上である場合にはＡ４サイズの用紙Ｐが収容されたカセットのカセット番号が対応している。ワンタッチ登録リストについては、リスト件数が４０件以下である場合にはＡ５サイズの用紙Ｐが収容されたカセットのカセット番号が対応しており、リスト件数が４１件以上である場合にはＡ４サイズの用紙Ｐが収容されたカセットのカセット番号が対応している。
【００２７】
ここで、図２（Ａ）に示すように、「送信履歴リスト」とは、例えば、複数の行にわたってリスト形式に表示されており、各リストには、通信の番号、相手先名、モード、開始日時、時間、部数、部門、結果、備考等が明示されている。なお、図示しないが、「受信履歴リスト」のフォーマットも「送信履歴リスト」のフォーマットと同様である。
また、図２（Ｂ）に示すように、「ワンタッチ登録リスト」とは、例えば、複数の行にわたってリスト形式に表示されており、各リストには、通信の番号、相手先名、ダイヤル番号、備考等が明示されている。
さらに、「短縮登録リスト」とは、例えば、図示しないが、複数の行にわたってリスト形式に表示されており、各リストには、通信の番号、相手先名、短縮番号、備考等が明示されている。
【００２８】
ＲＡＭ１８には、送信履歴リスト、受信履歴リスト、ワンタッチ登録リスト及び短縮登録リストの各内容が記憶されている。
【００２９】
次に、本実施形態に係る通信端末装置１０の作用について説明する。
【００３０】
図１及び図２（Ａ）に示すように、送信履歴リストの印字は、ユーザが操作部３２のプリント指示キー４０を押すことにより行われる。ユーザによりプリント指示キー４０が押されると、ＲＡＭ１８から印字されるべき送信履歴リストの情報が呼び出されて画像メモリ２０上に印刷画像データが作成される。そして、主制御部１２により、画像メモリ２０上に作成された印刷画像データに基づいて用紙Ｐに送信履歴リストが印字される。送信履歴リストを印字する際、主制御部１２は、ＲＡＭ１８に記憶されている送信履歴リストの件数情報とテーブルとに基づいて、最適なサイズの用紙Ｐが収容されているカセット番号のカセットをカセット群３８の中から選択する。
【００３１】
例えば、リスト件数が３０件以下である場合にはＡ５サイズの用紙Ｐが収容されるカセット番号のカセットがカセット群３８の中から選択され、リスト件数が３１件以上である場合にはＡ４サイズの用紙Ｐが収容されるカセット番号のカセットがカセット群３８の中から選択される。
【００３２】
次に、主制御部１２において所定のカセットが選択されると、そのカセット番号が付与されたカセットに収容された用紙Ｐにプリンタ３０により送信履歴リストが印字され、プリントアウトされる。
【００３３】
このように、主制御部１２により印字する各リストのリスト件数に基づいて最適なサイズの用紙Ｐが選択され、この選択された用紙Ｐに各リストが印字される。このため、図３に示すように、リスト件数が例えば１９件という比較的少ないリストを印字する場合において、送信履歴リストが印字された用紙Ｐの余白の部分を少なくすることができ、用紙Ｐを効率良く使用することができる。この結果、用紙Ｐの無駄を抑制することができる。
【００３４】
特に、用紙Ｐは異なるカセット番号が付与されたカセットにサイズ毎に別けて収容されており、ＲＡＭ１８には、予め各リストのリスト件数と、最適なサイズの用紙Ｐが収容されたカセットのカセット番号と、が対応付けられたテーブルが記憶されており、主制御部１２はＲＡＭ１８の記憶内容に基づいて用紙Ｐを選択することにより、容易に最適なサイズの用紙Ｐを選択することができ、各リストを比較的短時間で印字することができる。
【００３５】
なお、受信履歴リスト、ワンタッチ登録リスト及び短縮登録リストを印字する場合にも、送信履歴リストを印字する場合と同様の手順で行われる。
【００３６】
また、上記実施形態では、ＲＡＭ１８には、送信履歴リスト（送信管理レポート）、受信履歴リスト（受信管理レポート）、ワンタッチ登録リスト及び短縮登録リストの各リスト件数と、最適サイズの用紙Ｐが収容されたカセットのカセット番号との対応関係を示すテーブルが記憶されている構成について説明したが、各リスト件数と最適サイズの用紙Ｐが収容されたカセットのカセット番号との対応関係に限られるものではない。
すなわち、カセット群３８が設けられていない場合でも、ＲＡＭ１８には、送信履歴リスト（送信管理レポート）、受信履歴リスト（受信管理レポート）、ワンタッチ登録リスト及び短縮登録リストの各リスト件数と用紙Ｐの最適サイズとの対応関係を示すテーブルが記憶されている場合でもよい。
このテーブルは、最も少ないリスト件数であればＢ５サイズの用紙Ｐが対応し、比較的少ないリスト件数であればＡ５サイズの用紙Ｐが対応し、最も多いリスト件数であればＡ３サイズの用紙Ｐが対応し、比較的多いリスト件数であればＢ４サイズの用紙Ｐが対応し、通常のリスト件数であればＡ４サイズの用紙Ｐが対応している。
例えば、送信履歴リスト及び受信履歴リストについては、リスト件数が３０件以下である場合にはＡ５サイズの用紙Ｐが対応しており、リスト件数が３１件以上である場合にはＡ４サイズの用紙Ｐが対応している。ワンタッチ登録リストについては、リスト件数が４０件以下である場合にはＡ５サイズの用紙Ｐが対応しており、リスト件数が４１件以上である場合にはＡ４サイズの用紙Ｐが対応している。
上記のように、主制御部１２において、ＲＡＭ１８の記憶内容に基づいて最適なサイズの用紙Ｐが選択され、プリンタ３０によりその選択された用紙Ｐに、送信履歴リストなどが印字される。
【００３７】
なお、上記各テーブルは、用紙Ｐに印字する情報の情報量と用紙の最適サイズ又は最適サイズの用紙が収容されたカセットのカセット番号との対応関係が示されているものではあれば、各リストのリスト件数に限られるものではない。
特に、比較的少ないリスト件数であっても１リストに複数行の文字、番号等が明示されているような場合には、リスト件数に関わらず印字される情報量に応じて最適なサイズの用紙Ｐ又は最適なサイズの用紙Ｐが収容されているカセットのカセット番号を選択することにより、さらに用紙Ｐの余白を少なくすることができ、無駄を効果的に防止することができる。
さらに、リスト形式のものを用紙に印字する場合に限られるものではなく、用紙Ｐに印字する情報であれば何でも良い。
【図面の簡単な説明】
【００３８】
【図１】本発明の一実施形態の通信端末装置のブロック図である。
【図２】（Ａ）は本発明の一実施形態の通信端末装置により印字される送信履歴リストのフォーマットを示した図であり、（Ｂ）はワンタッチ登録リストのフォーマットを示した図である。
【図３】本発明の一実施形態の通信端末装置により送信履歴リストが印字された記録紙を示した図である。
【図４】従来の通信端末装置により送信履歴リストが印字された記録紙を示した図である。
【符号の説明】
【００３９】
１０    通信端末装置
１２    主制御部（制御手段）
１８    ＲＡＭ（記憶手段）
Ｐ      用紙（記録紙）
【図１】
2005079829.tif 000003
【図２】
2005079829.tif 000004
【図３】
2005079829.tif 000005
【図４】
2005079829.tif 000006